(57)【要約】      （修正有）【課題】体積が小さく、携行に便利であり、室外活動に必要な照明または誘導目的の灯りが得られる携帯型多機能発光装置を提供する。【解決手段】携帯型多機能発光装置１は、第１蓋体１１と、透明防水フード１２と、照明モジュール１３と、第２蓋体１４と、導光部材とを備える。照明モジュール１３と、透明防水フード１２とを組み合わせて第１蓋体１１に内設し、第１蓋体を第２蓋体１４と一体的に結合させる。照明モジュール１３が透明防水フード１２によって、防水及び光線を透過させる効果を持たせる。第２蓋体をペットボトルまたは丸棒の導光部材に繋ぎ、照明モジュールの投射光を集光・屈折・反射させて照明効果を得る。【選択図】図１
0003213864.tif 000002
【実用新案登録請求の範囲】
【請求項１】
第１蓋体と、透明防水フードと、照明モジュールと、第２蓋体と、導光部材とを備える携帯型多機能発光装置であって、
前記第１蓋体の一端に第１接続部を設け、もう一端に第２接続部を設け、前記第１接続部と前記第２接続部との間に環状隔壁を設け、
前記透明防水フードには環状隔壁に対応して環状フランジが設けられており、前記第１蓋体内部への嵌め込みを提供し、前記環状フランジと前記環状隔壁との間に防水シリコンリングを挟設することによって、前記第１蓋体と前記透明防水フードとを結合して、収容空間が形成され、
前記照明モジュールは前記収容空間内に配設されており、前記照明モジュールは少なくとも一つのＬＥＤ光源と、一つの制御回路板と、電源とによって構成され、前記ＬＥＤ光源と前記電源とをそれぞれ前記制御回路板に電気的に接続し、前記制御回路板には前記ＬＥＤ光源の照明状態を制御するためのスイッチが設けられ、
前記第２蓋体の開口部には前記第１接続部に対応して第３接続部が設けられており、前記第２蓋体を前記第１蓋体の一側部に蓋合させて封止し、前記第２蓋体には前記スイッチに対応して貫通孔が設けられており、
前記導光部材の一端には前記第２接続部に対応して第４接続部が設けられており、前記導光部材と前記第１蓋体とを一体に組み合わせて連結し、前記照明モジュールを介して前記導光部材に光線を出射させることを特徴とする、携帯型多機能発光装置。
【請求項２】
前記導光部材はペットボトルであり、
前記第３接続部が前記ペットボトルのねじ山に対応し、前記第１蓋体を前記ペットボトルに締め付けることを特徴とする、請求項１記載の携帯型多機能発光装置。
【請求項３】
マウントリングをさらに含み、
前記マウントリングの外部には前記第３接続部に対応して外ねじ部が設けられ、内部には前記ペットボトルに対応して内ねじ部が設けられるていることによって、前記マウントリングが前記第１蓋体と前記ペットボトルとの間に設けられることを特徴とする、請求項２記載の携帯型多機能発光装置。
【請求項４】
キーリングをさらに含み、
前記第２蓋体に把持部を凸設し、
前記把持部には前記キーリングにつなげるための貫通孔が設けられており、
前記キーリングは第１嵌め輪と、コードリールと、第２嵌め輪とによって構成され、前記第１嵌め輪を前記コードリールの表面に前記コードリール内部に延長コードを囲むように設けられ、前記第２嵌め輪が前記延長コードの末端部に繋がれており、前記第２嵌め輪が前記コードリールに対して伸縮自在であることを特徴とする、請求項３記載の携帯型多機能発光装置。
【請求項５】
前記照明モジュールが、第１ＬＥＤ光源と、第２ＬＥＤ光源と、第３ＬＥＤ光源とを含み、
前記第１ＬＥＤ光源は白色ＬＥＤが白色光を出射し、
前記第２ＬＥＤ光源は黄色ＬＥＤが黄色光を出射し、
前記第３ＬＥＤ光源は多結晶ＬＥＤが異なる色光を交互に出射できることを特徴とする、請求項４記載の携帯型多機能発光装置。
【考案の詳細な説明】
【技術分野】
【０００１】
本考案は照明及び誘導装置の分野に関し、特に体積が小さく、多くの機能が取り揃えられており、使用する機能に応じて、多種多様な機能の導光素子に交換して、様々な用途に用いることができる、携帯型多機能発光装置に関する。
【背景技術】
【０００２】
人が室外で活動するときに、照明または誘導などの需要から、一般に様々な照明装置が携行されている。この種の照明装置としては、ヘッドライト、懐中電灯、サーチライトなどがある。さらに、特殊照明需要として、ネオン灯照明装置がある。この種の照明装置の体積は一様ではなく、体積が比較的大きなサーチライトやネオン灯は携行に不便である。これに対し、現在もっとも携行に便利な照明装置は、やはりヘッドライトや懐中電灯などの小型灯具が主である。
【０００３】
さらに、米国特許ＵＳ  ７７４０３６８  Ｂ２号（特許文献１）Ｃａｐ  ｗｉｔｈ  ａ  ｌｉｇｈｔ  ｅｍｉｔｔｉｎｇ  ｄｉｏｄｅ  （ｌｅｄ）  ｆｏｒ  ｉｌｌｕｍｉｎａｔｉｎｇ  ａ  ｂｅｖｅｒａｇｅ  ｃｏｎｔａｉｎｅｒ（飲料容器に用いるＬＥＤ上部照明カバー）によれば、レンズと、ＬＥＤ光源と、バッテリーと、制御回路板と、制御ボタンと、透明状下部蓋とを備え、ＬＥＤ光源を上部蓋とレンズとの間に取り付けて、ＬＥＤ光源を下向きに固定し、光線をレンズに投射させ、制御回路が、バッテリーによって電気を供給し、起動することによってＬＥＤ光源を駆動し、制御ボタンを上部蓋に取り付け、取り外し自在な透明状の下部蓋をレンズのベースとして飲料容器に連結することで、照明が提供される。
【先行技術文献】
【特許文献】
【０００４】
【特許文献１】米国特許７７４０３６８号
【考案の概要】
【考案が解決しようとする課題】
【０００５】
しかし、上述のＬＥＤ上部照明カバーは、一般によく見かける飲料容器のみに適用可能であり、飲料容器表面の凸凹状設計と、飲料液体の屈折・反射によって照明光が出射されるが、欠点として、電力を維持するためにバッテリーを頻繁に交換しなければならない。さらに、使用する際には飲料容器を余分に携行する必要があるため、携行に不便であるという問題が残る。これらは、この種のＬＥＤ上部照明カバーを照明に用いたときの問題点である。
【課題を解決するための手段】
【０００６】
前述の問題点の解決策として、本考案の一目的は、第１蓋体と第２蓋体とを一体的に結合させた上で、その内部に照明モジュールを覆うように配置し、ペットボトルまたは丸棒状の導光部材が組み合わせて連結された携帯型多機能発光装置を提供することにある。照明モジュールから生成された照明、誘導または装飾目的の光線を導光部材に投射させれば、使用の利便性が大幅に向上できる。さらに、携行の利便性を図るため、第１蓋体の表面にキーリングを設けることができる。このほか、第２蓋体の表面に突起リブを設けて、様々な導光部材を交換できるようにする。
【０００７】
前述の目的を達成するため、本考案の携帯型多機能発光装置は、第１蓋体と、透明防水フードと、照明モジュールと、第２蓋体と、導光部材とを備える。第１蓋体の一端に第１接続部を設け、もう一端に第２接続部を設ける。第１接続部と、第２接続部との間には環状隔壁を設ける。第１蓋体の内部への嵌め込みに備えて、透明防水フードには環状隔壁に対応させて環状フランジが設けられており、環状フランジと環状隔壁との間に防水シリコンリングを挟設することによって、第１蓋体と透明防水フードとを結合して収容空間が形成される。少なくとも一つのＬＥＤ光源と、一つの制御回路板と、電源とによって構成される照明モジュールを収容空間内に配設し、ＬＥＤ光源及び電源をそれぞれ制御回路板と電気的に接続する。制御回路板にはＬＥＤ光源の照明状態を制御するためのスイッチが設けられている。第２蓋体の開口部には第１接続部に対応させて第３接続部が設けられており、第２蓋体を第１蓋体の一側部に蓋合させて封止させる。第２蓋体にはスイッチに対応して貫通孔が設けられている。導光部材の一端には第２接続部に対応させて第４接続部が設けられており、導光部材と、第１蓋体とを一体的に組み合わせて連結するとともに、照明モジュールを介して導光部材に光線を出射させる。
【０００８】
一実施例において、導光部材としてペットボトルが採用されており、第３接続部がペットボトルのねじ山部に対応していて、第１蓋体をペットボトルに締め付けて固定する。さらに、本考案の防水設計により、ペットボトルに水を入れた後、キャンプ用の照明光を出射させることができる。このほか、様々なペットボトルサイズでの適用を図るために、本考案はマウントリングが同時に設計されており、マウントリングの外部には第３接続部に対応させて外ねじ部が設けらえており、内部にはペットボトルに対応させて内ねじ部が設けられていることによって、マウントリングがねじ山部に対応して第１蓋体と、ペットボトルとの間に締め付けることができ、様々なペットボトルサイズに取り付けられる。
【０００９】
もう一つの実施例において、導光部材は、透光性材質から仕上げられた丸棒状の構造体として形成され、第４接続部の一端に対応して、集光部を設け、もう一端に屈折・反射部を設けることによって、懐中電灯としての照明効果、または誘導棒の誘導効果などを提供することができる。
【００１０】
さらに、本考案の携帯型多機能発光装置は充電の利便性を図るため、第２蓋体の表面に、電源と電気的に接続され電源を充電できる充電ポートを追加設置しており、バッテリーを頻繁に交換する必要はない。このほか、一般の携帯型電源装置に接続して使用することもできる。充電ポートはＵＳＢ、ＭＩＮＩ  ＵＳＢ、ＭＩＣＲＯ  ＵＳＢのうちいずれかの一つから選択される。
【００１１】
さらに、本考案の携帯型多機能発光装置は、携行の利便性を図るため、キーリングを追加設置し、第２蓋体に把持部を凸設し、把持部にキーリングとつなげるための貫通孔を設けることにより、使用者の体またはリュックサックに装着することができる。キーリングは、第１嵌め輪と、コードリールと、第２嵌め輪とによって構成される。第１嵌め輪がコードリールの表面に繋がれており、コードリールの内部には囲むように延長コードが設けられ、第２嵌め輪が延長コードの末端部に繋がれていて、第２嵌め輪をコードリールに対して伸縮させることで、長さを延長し、または短くして使用できるとともに、収納に便利である。
【００１２】
照明モジュールは、第１ＬＥＤ光源と、第２ＬＥＤ光源と、第３ＬＥＤ光源とを有しており、スイッチによって異なるＬＥＤ光源からの出射光を切り替えてもよい。一例として、第１ＬＥＤ光源は白色光ＬＥＤが白色光を出射し、第２ＬＥＤ光源は黄色光ＬＥＤが黄色光を出射し、第３ＬＥＤ光源は多結晶ＬＥＤが異なる光色を交互に出射できる。
【００１３】
このほか、様々な導光部材の交換が効率的に行えるよう、第１蓋体の外面には少なくとも１つの突起リブが設けられ、回転時の抵抗エネルギーを増やすことで交換の利便性を図る。
【図面の簡単な説明】
【００１４】
【図１】本考案の第１実施例による立体分解図である。
【図２】本考案の第１実施例において、組み立て後の立体外観図である。
【図３】本考案の第１実施例の使用態様を示す図である。
【図４】本考案の第１実施例における充電態様を示す図である。
【図５】本考案の第２実施例において、組み立て後の立体外観図である。
【図６】本考案の第２実施例の使用態様を示す図である。
【考案を実施するための形態】
【００１５】
本考案の内容について審査官の方々の明快な理解を図るため、以下に図面を参照しながら詳細を説明する。
【実施例１】
【００１６】
図１〜４の、本考案第１実施例による立体分解図と、組立てた後の立体外観図と、使用態様を示す図と、充電態様を示す図とを参照する。図に示すとおり、本考案の携帯型多機能発光装置１は、第１蓋体１１と、透明防水フード１２と、照明モジュール１３と、第２蓋体１４と、導光部材１５とを備える。
【００１７】
そのうち、第１蓋体１１の一端に第１接続部１１１が設けられ、もう一端に第２接続部１１２を設けられている。第１接続部１１１と、第２接続部１１２との間に環状隔壁１１３が設けられており、その中央部はくり抜かれたリング状に形成されている。第１蓋体１１の外面の対称な位置に、突起リブ１１４をそれぞれ設ける。
【００１８】
透明防水フード１２の一端には環状隔壁１１３に対応して、第１蓋体１１内部への嵌め込みに用いるための環状フランジ１２１が設けられており、環状フランジ１２１と、環状隔壁１１３との間に防水シリコンリング１２２を挟設することによって、第１蓋体１１と、透明防水フード１２とを結合して、収容空間を形成する（図示しない）。
【００１９】
照明モジュール１３は、第１ＬＥＤ光源１３１と、第２ＬＥＤ光源１３２と、第３ＬＥＤ光源１３３と、制御回路板１３４と、電源１３５とによって構成され、第１ＬＥＤ光源１３１と、第２ＬＥＤ光源１３２と、第３ＬＥＤ光源１３３と、電源１３５とをそれぞれ制御回路板１３４に電気的に接続し、制御回路板１３４によって、第１ＬＥＤ光源１３１、第２ＬＥＤ光源１３２、第３ＬＥＤ光源１３３の照明状態を制御するために、制御回路板１３４にはスイッチ１３４１が設けられている。第１ＬＥＤ光源１３１、第２ＬＥＤ光源１３２、第３ＬＥＤ光源１３３のうちいずれかの一つを選択して発光させる。特に注意したいところは、第１ＬＥＤ光源１３１は白色光ＬＥＤが白色光を出射し、第２ＬＥＤ光源１３２は黄色光ＬＥＤが黄色光を出射し、第３ＬＥＤ光源１３３は多結晶ＬＥＤが異なる光色を交互に出射できることである。
【００２０】
第２蓋体１４の開口部には第１接続部１１１に対応して、第３接続部１４１が設けられており、第２蓋体１４を第１蓋体１１の一側部に蓋合させて封止する。第２蓋体１４にはスイッチ１３４１に対応して、貫通孔１４２が設けられており、第２蓋体の最上部には把持部１４３を凸設し、把持部１４３には貫通孔１４３１が設けられている。
【００２１】
導光部材１５の一端には第２接続部１１２に対応して、第４接続部１５１が設けられており、導光部材１５と、第１蓋体１１とを一体的に組み合わせて連結した上で、照明モジュール１３によって、導光部材１５に光線を出射させる。本実施例においては、導光部材１５はペットボトル１５２を採用しており、第３接続部１４１がペットボトル１５２のねじ山に対応して、第１蓋体１１をペットボトル１５２に締め付けて固定する。
【００２２】
このほか、様々なペットボトルサイズに合わせるため、マウントリング１６が設けられる。マウントリング１６の外部には第３接続部１４１に対応して、外ねじ部１６１が設けられており、内部にはペットボトル１５２に対応して、内ねじ部１６２が設けられていることによって、マウントリング１６はこれらに対応して、第１蓋体１１と、ペットボトル１５２との間に設けられる。
【００２３】
さらに、本考案の携帯型多機能発光装置は充電の利便性を図るため、第２蓋体の表面に、電源と電気的に接続されて電源１３５に充電する充電ポート１７を追加設置する。充電ポート１７はＵＳＢ、ＭＩＮＩ  ＵＳＢ、ＭＩＣＲＯ  ＵＳＢのうちいずれか一つが選択される。
【００２４】
さらに、携行の利便性を図るため、本考案の携帯型多機能発光装置１１はキーリング１８を更に含み、キーリング１８は第１嵌め輪１８１と、コードリール１８２と、第２嵌め輪１８３とによって構成される。第１嵌め輪１８１をコードリール１８２の表面に繋がれており、コードリール１８２の内部に囲むように延長コード１８２１が設けられ、第２嵌め輪１８３を延長コード１８２１の末端部に繋ぐことによって、第２嵌め輪１８３がコードリール１８２に対して伸縮自在となる。
【００２５】
特に注意したいところは、本考案の第１接続部１１１、第２接続部１１２、第３接続部１４１、第４接続部１５１はすべてねじ山設計であるが、この限りではなく、装着または係着方式でも実施可能である。
【実施例２】
【００２６】
図５及び図６の、本考案の第２実施例による組み立て後の立体外観図と、使用態様を示す図とを参照する。図に示すとおり、本考案の第２実施例においては、異なる形式の導光部材１５が使われており、かつ、導光部材１５が丸棒状の構造体として形成されており、透光性材料（アクリルまたはプラスチック系の部材）によって仕上げられる。第４接続部１５１の一端に集光部１５３を設け、もう一端に屈折・反射部１５４を設けけることによって、投射光が集光部１５３によって集光した上で、再び屈折・反射部１５４に投射されて外部に出射され、懐中電灯としての照明効果、または誘導棒としての誘導効果などを提供することができる。
【符号の説明】
【００２７】
１      携帯型多機能発光装置
１１    第１蓋体
１１１  第１接続部
１１２  第２接続部
１１３  環状隔壁
１１４  突起リブ
１２    透明防水フード
１２１  環状フランジ
１２２  防水シリコンリング
１３    照明モジュール
１３１  第１ＬＥＤ光源
１３２  第２ＬＥＤ光源
１３３  第３ＬＥＤ光源
１３４  制御回路板
１３４１スイッチ
１３５  電源
１４    第２蓋体
１４１  第３接続部
１４２  貫通孔
１４３  把持部
１４３１貫通孔
１５    導光部材
１５１  第４接続部
１５２  ペットボトル
１５３  集光部
１５４  屈折・反射部
１６    マウントリング
１６１  外ねじ部
１６２  内ねじ部
１７    充電ポート
１８    キーリング
１８１  第１嵌め輪
１８２  コードリール
１８２１延長コード
１８３  第２嵌め輪
【図１】
0003213864.tif 000003
【図２】
0003213864.tif 000004
【図３】
0003213864.tif 000005
【図４】
0003213864.tif 000006
【図５】
0003213864.tif 000007
【図６】
0003213864.tif 000008